(57)【要約】【課題】押し花等の作品を乾燥剤や脱酸素剤と共に収容するための密閉空間を形成することができ、また、押し花等の作品の交換作業が極めて容易であり、しかも、安価で再使用可能な押し花等の飾り額用キットを提供する。【解決手段】押し花や押し葉等の作品を観賞用に飾りつけて保存する押し花等の飾り額用キットであり、防湿性を有する背面板と、防湿性を有する透明な正面板と、上記背面板の周縁部と上記正面板の周縁部との間に介装され、これら背面板と正面板との間に上記作品及び乾燥剤や脱酸素剤等の保存剤を収容する密閉空間を形成する弾性シール部材と、上記弾性シール部材を介して上記背面板の周縁部と上記正面板の周縁部との間を互いに加圧下に挟持し、形成された飾り額の額本体の形状を保持する挟持部材とを備えることを特徴とする押し花等の飾り額用キット。【選択図】図２
2009119730.tif 000002
【特許請求の範囲】
【請求項１】
押し花や押し葉等の作品を観賞用に飾りつけて保存する押し花等の飾り額用キットであり、
湿気の透過が防止される防湿性を有する背面板と、
湿気の透過が防止される防湿性を有する透明な正面板と、
上記背面板の周縁部と上記正面板の周縁部との間に介装され、これら背面板と正面板との間に上記作品及び乾燥剤や脱酸素剤等の保存剤を収容する密閉空間を形成する弾性シール部材と、
上記弾性シール部材を介して上記背面板の周縁部と上記正面板の周縁部との間を互いに加圧下に挟持し、形成された飾り額の額本体の形状を保持する挟持部材と
を備えることを特徴とする押し花等の飾り額用キット。
【請求項２】
背面板、正面板、弾性シール部材、及び挟持部材に加えて、中央部に開口を有する縁枠状に形成されて額本体の額縁として機能する縁枠部材を備えていることを特徴とする請求項１に記載の押し花等の飾り額用キット。
【請求項３】
背面板、正面板、弾性シール部材、及び挟持部材に加えて、作品を上記正面板に向けて押圧する押圧部材を備えていることを特徴とする請求項１又は２に記載の押し花等の飾り額用キット。
【発明の詳細な説明】
【技術分野】
【０００１】
この発明は、押し花や押し葉等の作品を観賞用に飾りつけて保存するための押し花等の飾り額を構成する押し花等の飾り額用キットに関する。
【背景技術】
【０００２】
押し花や押し葉等の作品は、乾燥させた花や葉を材料として創られるものであることから、自然環境に放置すると容易にその色調が変化し、また、退色してしまう。これは、植物の色素が可視光を吸収して活性化され、空気中の水分や酸素と反応して無色に変化してしまうことに起因している。
【０００３】
そこで、従来においても、このような問題を解決するため、押し花等の作品を乾燥剤や脱酸素剤等と共に密封すると共に作品を外部から観賞できるようにしたいわゆる飾り額を形成し、これによって作品が水分や酸素と接触するのを可及的に防止し、通常は１ヶ月程度で色調が劣化する作品を飾り額としてより長期間に亘って観賞できるようにした幾つかの提案が行われている。
【０００４】
例えば、透明なガラス板やアクリル板に押し花等の作品を密着させ、裏面側に乾燥剤や脱酸素剤を配置し、裏面全体をアルミ箔シート等の防湿シートで覆い、辺縁部を粘着テープや接着剤で密封したもの（実開平05-035,395号、特開平08-080,236号、特開平10-119,500号、特開2000-094,895号、特開2001-293,998号、特開2002-248,038号、及び登録実用新案第3,070,714号の各公報参照）、ケース本体と透明蓋体部とで形成される扁平な密閉空間部内に押し花等が載置されるマットと脱酸素剤とを収容するようにしたもの（特開2000-102,466号公報参照）、ガラス板に紫外線カット機能を有するフィルムを貼り付けたもの（登録実用新案第3,000,928号、及び登録実用新案第3,068,042号の各公報参照）等が提案されている。
【０００５】
しかしながら、このような押し花等の作品の色調劣化を防止するための工夫を加えた飾り額についても限界があり、通常は、多くの作品は６ヶ月から１２ヶ月の間に退色してしまい、作品としての価値が失われてしまう。これは、植物の色素が可視光を吸収すると、たとえ水分や酸素が存在しなくても自己分解してしまうことを示しており、作品の永久保存が困難なことは押し花等の作品の宿命であることを意味している。なお、色調の発現が可視光の吸収によるものである以上、紫外光をカットしてもあまり効果がない。
【０００６】
それ故、押し花等の作品は、その寿命が概ね半年から１年程度であって、退色して寿命が来た場合には交換しなければならない。また、この押し花等の作品は、作品が異なれば雰囲気が全く異なるものであり、特に季節によっても作品の雰囲気が大きく異なることから、使用する飾り額についても、作品にマッチした雰囲気のものを選んで使用する必要が生じる。
【０００７】
しかしながら、上述した工夫を加えた飾り額においては、例えば透明なガラス板やアクリル板に接着剤等による汚れが付着し、再利用に耐えない場合が多く、新たに購入しなければならないという経済的負担が生じるほか、作品の交換のたびに煩雑な密封作業が必要になるという問題があった。
【０００８】
そこで、本願発明者は、上記問題を解決するために、背面側に設けられた底壁部とこの底壁部の周縁に沿って立設された高さの低い周壁部とを有する薄型箱状の額本体と、この額本体の表面側を覆い、額本体と相俟って扁平な空間を形成する透明板と、断面略々Ｌ字状の材料で中央部開口の縁枠状に形成され、上記額本体の周壁部と上記透明板の周縁部との境界部分を覆う縁枠部材と、上記額本体の周壁部と上記透明板の周縁部との間に介装される弾性変形可能なシール部材と、上記縁枠部材と上記額本体との間に取り付けられ、額本体に対して透明板を開閉自在に保持すると共にシール部材を介して額本体と透明板との間を密閉する締結手段と、上記額本体と透明板とで形成される扁平な空間を仕切り、額本体の底壁部側に乾燥剤や脱酸素剤等の保存剤を収容する保存剤収容室と透明板側に作品を収容する作品収容室とを形成する仕切盤とを備え、粘着テープや接着剤等を用いることなく押し花等の作品を乾燥剤や脱酸素剤と共に収容するための密閉空間を形成することができ、押し花等の作品の交換作業が極めて容易であり、しかも、容易に新しい作品の雰囲気にマッチするように模様替えをすることができる押し花等の飾り額を開発して提案した（特開2005−119,088号公報参照）。
【０００９】
しかしながら、この先に提案した飾り額においては、背面側の底壁部とその周縁に沿って立設された周壁部とを有する薄型箱状の額本体が合成樹脂の成形体で形成されているので、押し花等の作品のサイズに合わせて幾つかの異なるサイズの額本体が必要となり、結果として飾り額の製造にはそれぞれのサイズに合わせた金型の製造が必要になり、製造コストの面で不利である。
【特許文献１】実開平05-035,395号公報
【特許文献２】特開平08-080,236号公報
【特許文献３】特開平10-119,500号公報
【特許文献４】特開2000-094,895号公報
【特許文献５】特開2000-102,466号公報
【特許文献６】特開2001-293,998号公報
【特許文献７】特開2002-248,038号公報
【特許文献８】登録実用新案第3,070,714号公報
【特許文献９】登録実用新案第3,000,928号公報
【特許文献１０】登録実用新案第3,068,042号公報
【特許文献１１】特開2005−119,088号公報
【発明の開示】
【発明が解決しようとする課題】
【００１０】
そこで、本願発明者は、先に提案した押し花等の飾り額について、押し花等の作品の色調をより長く維持するために、この作品を乾燥剤や脱酸素剤等の保存剤と共に密閉することができ、また、押し花等の作品が概ね半年から１年程度を周期として交換されるので、粘着テープや接着剤等を用いることなくその交換作業ができるだけ簡単あり、しかも、種々のサイズの押し花等の作品を数多く飾りたいという愛好者の希望に応えられるように、安価に製造することができ、しかも、新規購入時と実質的に変わらない状態で再使用可能な押し花等の飾り額用キットを開発すべく鋭意検討し、本発明を完成した。
【００１１】
従って、本発明の目的は、押し花等の作品を乾燥剤や脱酸素剤と共に収容するための密閉空間を形成することができ、また、押し花等の作品の交換作業が極めて容易であり、しかも、安価で再使用可能な押し花等の飾り額用キットを提供することにある。
【課題を解決するための手段】
【００１２】
すなわち、本第１の発明は、押し花や押し葉等の作品を観賞用に飾りつけて保存する押し花等の飾り額用キットであり、湿気の透過が防止される防湿性を有する背面板と、湿気の透過が防止される防湿性を有する透明な正面板と、上記背面板の周縁部と上記正面板の周縁部との間に介装され、これら背面板と正面板との間に上記作品及び乾燥剤や脱酸素剤等の保存剤を収容する密閉空間を形成する弾性シール部材と、上記弾性シール部材を介して上記背面板の周縁部と上記正面板の周縁部との間を互いに加圧下に挟持し、形成された飾り額の額本体の形状を保持する挟持部材とを備えることを特徴とする押し花等の飾り額用キットである。
【００１３】
本第２の発明は、背面板、正面板、弾性シール部材、及び挟持部材に加えて、中央部に開口を有する縁枠状に形成されて額本体の額縁として機能する縁枠部材を備えていることを特徴とする第１の発明の押し花等の飾り額用キットである。
【００１４】
本第３の発明は、背面板、正面板、弾性シール部材、及び挟持部材に加えて、作品を上記正面板に向けて押圧する押圧部材を備えていることを特徴とする第１又は２の発明の押し花等の飾り額用キットである。
【発明の効果】
【００１５】
第１の発明によれば、押し花等の作品を乾燥剤や脱酸素剤と共に収容するための密閉空間を形成することができ、また、押し花等の作品の交換作業が極めて容易であり、しかも、安価で再使用可能な押し花等の飾り額用キットを提供することができる。
【００１６】
第２の発明によれば、容易に新しい作品の雰囲気にマッチするように模様替えをすることができる。
【００１７】
第３の発明によれば、押し花等の作品は正面板に向けて押し付けられるので、押し花や押し葉は糊付けすることなく固定することができ、作品の制作は非常に容易となる。また、水分の少ない花や葉は生の状態から飾りつけても本発明の額の中で乾燥が充分に進行するので、そのまま長期保存が可能となる。
【発明を実施するための最良の形態】
【００１８】
以下に、本発明の実施形態について図面を参照して説明する。
【００１９】
[実施形態]
図１〜図３は、本発明に係る押し花等の飾り額用キットの実施形態を示す図である。
【００２０】
図１は、実施形態における押し花等の飾り額用キットの構成部材を示す斜視図である。図２（ａ）は、実施形態における押し花等の飾り額キットを組み立て押し花等の作品及び保存剤を収容した状態を示す正面図である。図２（ｂ）は、図２（ａ）のＡＢ断面図である。図３は、図２（ａ）の押し花等の飾り額用キットを組み立て縁枠部材が装着された状態を示す正面図である。
【００２１】
本実施形態における押し花等の飾り額用キットは、湿気の透過が防止される防湿性を有する背面板１、湿気の透過が防止される防湿性を有する透明な正面板２、背面板１の周縁部と正面板２の周縁部との間に介装され、これら背面板１と正面板２との間に押し花等の作品７及び湿気から水分を吸収する乾燥剤や酸素を吸収する脱酸素剤等の保存剤６を収容する密閉空間を形成するパッキン（弾性シール部材）３、パッキン３を介して背面板１の周縁部と正面板２の周縁部との間を互いに加圧下に挟持し、形成された飾り額の額本体の形状を保持する挟持部材４、並びに、中央部に開口を有する縁枠状に形成されて額本体の額縁として機能する縁枠部材５から構成されている。
【００２２】
背面板１は、正面視で長方形板状に形成されている。背面板１の素材としては、金属板、硬質プラスチック板、及びガラス板等が挙げられるが、強度と軽さの点からアルミ板が最適である。
【００２３】
正面板２は、正面視で長方形板状に形成されている。正面板２の素材としては、ガラス板、及び硬質プラスチック板等が挙げられるが、安全性や透明度を考慮するとアクリル板が最適である。
【００２４】
パッキン３は、正面視で中央部に押し花等の作品７及び乾燥剤や脱酸素剤等の保存剤６を収容できる開口部を有する長方形板状に形成されている。パッキン３の板厚は、３ｍｍ〜１０ｍｍ程度が適当である。パッキン３の素材としては、天然ゴム板、合成ゴム板、シリコンゴム板、及びスポンジ板等が挙げられるが、反発力の強さ及び価格の点からネオプレンゴム板又はそのスポンジ板が好適である。
【００２５】
尚、背面板１、正面板２、及びパッキン３は、所定厚の素材板から切り出すだけで調達できるため製造費を低く抑えることができる。
【００２６】
挟持部材４は、文具に使われるダブルクリップを用いることができるが、互いに対向する一対の狭持部、及び、各狭持部の一端を連結する連結部からなり、一対の狭持部及び連結部の少なくともいずれかの部分が板バネ（弾性を有する板状体）にて形成されてなるクリップ本体、及び、各狭持部に一端がクリップ本体に対して着脱可能に接続され、他端が連結部を越えて外方へと延出し、一端を作用点、他端を力点とし、連結部近傍のクリップ本体部分との当接部を支点とした一対のレバーを備えるクリップであればよい。ダブルクリップを用いる場合には、レバーは固定後に取り外すことになる。
【００２７】
また、挟持部材４としては、スライド式のクリップ、ボルトとナットの組み合わせ、各種クランプ、及び輪ゴム等を用いることができるが、性能及び費用の面や背面板１と正面板２の加工が必要な点等を勘案するとあまり好適とは言えない。
【００２８】
縁枠部材５は、展示された押し花等の作品７の周縁の縁部分（額縁）を構成するものであって作品の雰囲気とマッチすることが要求される部分である。縁枠部材５は、厚さ１ｍｍ〜２ｍｍ程度の板紙を組み立てた中央部に開口を有する蓋状（縁枠状）に形成され表面に漆紙や千代紙等が貼り付けられたものである。
【００２９】
尚、縁枠部材５は、厚紙で作成した中央部に開口を有する蓋状に形成されたものであり、充分に額縁の体裁を装うことができるため製造コストの低減にも好都合である。
【００３０】
乾燥剤や脱酸素剤等の保存剤６は、シート状のものを採用することで押し花等の飾り額の厚さを小さくすることができる。
【００３１】
[実施例]
背面板１は、厚さ１ｍｍのアルミ板から長辺２８６ｍｍ、短辺２０６ｍｍの長方形に切り出して形成される。
【００３２】
正面板２は、厚さ２ｍｍの透明アクリル板から長辺２８６ｍｍ、短辺２０６ｍｍの長方形に切り出して形成される。
【００３３】
パッキン３は、厚さ５ｍｍのネオプレンスポンジから長辺２５６ｍｍ、短辺１７６ｍｍの長方形の開口を有する長辺２７６ｍｍ、短辺１９６ｍｍの長方形に切り出して形成される。
【００３４】
押し花等の飾り額用キットの組み立ては、最初に、背面板１にパッキン３を配置して、パッキン３の開口の中に厚さ１ｍｍ、長辺２４０ｍｍ、短辺１６０ｍｍの乾燥シート（オーアールエス社製）６と長辺２５４ｍｍ、短辺１７４ｍｍの台紙に作った押し花等の作品７を置く。
【００３５】
尚、押し花等の作品７の厚みが薄い場合には乾燥シート６と押し花等の作品７との間に、押し花等の作品７を正面板２に向けて押圧してクッションとして作用する押圧部材（スポンジ板、発泡ポリエチレン、不織物など）を設けることができる。
【００３６】
次に、正面板２をパッキン３の上面に配置して、背面板１と正面板２との間を中型のダブルクリップ４で押し付けてパッキン３に密着させ固定する。
【００３７】
尚、ダブルクリップ４は長辺側に４個、短辺側に３個が適当であるが、図２（ａ）では各辺１個に省略してある。
【００３８】
次に、全体が固定できたらダブルクリップ４のレバーを外し、厚さ２ｍｍ、長辺２８８ｍｍ（内寸）、短辺２０８ｍｍ（内寸）、奥行き１０ｍｍで中央部に長辺２５２ｍｍ、短辺１７２ｍｍの開口を有する表面を漆紙で飾られた縁枠部材５を嵌めれば完成である（図３）。
【００３９】
尚、縁枠部材５はダブルクリップ４の背面に接するため軽く固定される。
【００４０】
また、押し花等の作品７の入れ替えは、縁枠部材５を外し、ダブルクリップ４にレバーを装着して外せば簡単に行なうことができる。
【００４１】
尚、本発明は上記実施形態及び実施例に限定されるものではなく、本発明の要旨の範囲内において種々の変形実施が可能である。
【産業上の利用可能性】
【００４２】
本発明の押し花等の飾り額用キットは、押し花等の作品を乾燥剤や脱酸素剤と共に収容するための密閉空間を形成することができ、また、押し花等の作品の交換作業が極めて容易であり、しかも、安価で再使用可能であり、極めて実用的価値の高いものである。
【図面の簡単な説明】
【００４３】
【図１】図１は、実施形態における押し花等の飾り額用キットの構成部材を示す斜視図である。
【図２】図２は、実施形態における押し花等の飾り額用キットを組み立て押し花等の作品及び保存剤を収容した状態を示す図である。
【図３】図３は、図２の押し花等の飾り額用キットを組み立て縁枠部材が装着された状態を示す正面図である。
【符号の説明】
【００４４】
１：背面板、２：正面板、３：パッキン（弾性シール部材）４：挟持部材（ダブルクリップ）、５：縁枠部材、６：乾燥剤や脱酸素剤等の保存剤（乾燥シート）、７：押し花等の作品
【図１】
2009119730.tif 000003
【図２】
2009119730.tif 000004
【図３】
2009119730.tif 000005